(57)【要約】      （修正有）【課題】延伸過程のゴム切片、さらには延伸過程から収縮過程のゴム切片の顕微鏡観察を可能にするメッシュおよび該メッシュを用いたゴム切片の観察方法を提供する。【解決手段】延伸過程のゴム切片および収縮過程のゴム切片を顕微鏡により観察可能に支持するメッシュであって、中央部上面を前記ゴム切片１０を固定する載置領域とすると共に、該載置領域を挟む左右両側が前記延伸方向に移動される試料ホルダ分離部への固定部とされ、該左右固定部の間で且つ前記ゴム切片の載置位置に向けて前記延伸方向と直交方向あるいは傾斜方向の分断用スリット１２ａ，１２ｂが入れられ、前記試料ホルダ分離部による延伸方向への移動時に前記分断用スリットで左右に分断され、分断された左右両側部に固定される前記ゴム切片を延伸させる構成としている。【選択図】図４
2008096161.tif 000002
【特許請求の範囲】
【請求項１】
延伸過程のゴム切片を顕微鏡により観察可能に支持するメッシュであって、
中央部上面が前記ゴム切片を固定する載置領域とされると共に、該載置領域を挟む左右両側が前記延伸方向に移動される試料ホルダ分離部への固定部とされ、該左右の固定部の間の外縁より前記延伸方向と直交方向あるいは傾斜方向の拡開用スリットが所要長さで切り込まれており、
前記試料ホルダ分離部により前記固定部が離反方向へ移動された時に、前記拡開用スリットを外縁に向けて開いて前記延伸方向に伸長させ、前記固定部に左右両側が固定される前記ゴム切片を延伸させる構成としていることを特徴とするメッシュ。
【請求項２】
延伸過程および収縮過程のゴム切片を顕微鏡により観察可能に支持するメッシュであって、
中央部上面が前記ゴム切片を固定する開口を有する載置領域とされると共に、該載置領域を挟む左右両側が前記延伸方向に移動される試料ホルダ分離部への固定部とされ、該左右の固定部の間の外縁より前記ゴム切片の載置領域に向けて前記延伸方向と直交方向あるいは傾斜方向の分断用スリットが入れられ、
前記試料ホルダ分離部により前記固定部が離反方向に移動された時、前記分断用スリットで分断される前記固定部に左右両側が固定される前記ゴム切片を延伸させると共に、該延伸位置から前記試料ホルダ分離部により前記固定部が近接方向に移動された時、前記ゴム切片を収縮させる構成としていることを特徴とするメッシュ。
【請求項３】
前記ゴム切片の載置領域に網目状あるいは細溝状の開口が設けられ、これら開口を囲む周縁部に前記外縁より前記拡開用スリットあるいは分断用スリットが切り込まれている請求項１または請求項２に記載のメッシュ。
【請求項４】
前記分断用スリットは、前記開口を介して前記載置領域を横断させて設けられている請求項３に記載のメッシュ。
【請求項５】
請求項１に記載のメッシュの左右両側が固定された前記試料ホルダ分離部を延伸方向に移動させて前記メッシュの載置領域に固定された前記ゴム切片を延伸させ、延伸過程における前記ゴム切片を顕微鏡により観察することを特徴とするゴム切片の観察方法。
【請求項６】
請求項２に記載のメッシュの左右両側が固定された前記試料ホルダ分離部を延伸方向に移動させることにより前記メッシュの載置領域に固定された前記ゴム切片を延伸させ、延伸過程における前記ゴム切片を顕微鏡により観察し、引き続き、前記試料ホルダ分離部を収縮方向に移動させることにより前記メッシュの載置領域に固定された前記ゴム切片を収縮させ、収縮過程におけるゴム切片を顕微鏡により観察することを特徴とするゴム切片の観察方法。
【発明の詳細な説明】
【技術分野】
【０００１】
本発明は、顕微鏡による観察時に試料を保持するメッシュおよび、試料となるゴム切片をメッシュで保持して観察する方法に関し、特に、延伸過程のゴム切片、さらには延伸過程から収縮過程のゴム切片を観察可能にするものである。
【背景技術】
【０００２】
従来、透過型電子顕微鏡（ＴＥＭ）等の顕微鏡で試料を観察する場合には、予め試料を切断装置等で薄片化した後、メッシュと呼ばれる試料支持材に前記薄片化した試料を固定し、このメッシュを専用の試料ホルダに固定してから前記試料の観察を行っている。
通常、直径３ｍｍ程度の円盤形状を有するメッシュ１は、電子線を透過できるように、図１０に示すような網目状開口２、細溝状開口３、単孔４等を備えており、図１１に示すように、開口３を有するメッシュ１の中央部上面に薄片化した試料４が固定される。
【０００３】
また、試料は電子線を透過しうる薄さに薄片化する必要があり、従来より、ミクロトームと呼ばれる装置を用いて試料を薄片化したり、収束イオンビーム加工法（ＦＩＢ加工）によって試料の特定箇所を薄片化したりすることが知られており、特開平１１−３２９３２５号公報には、前記ＦＩＢ加工に適した特殊形状を有したメッシュが提案されている。
【０００４】
試料がゴムの場合、延伸過程のゴム切片や、延伸過程から収縮過程（戻り過程）のゴム切片を観察することは、ゴムの破断発生解析や、ゴムの損傷、劣化、磨耗解析、ヒステリシスロス発生のメカニズムの解析などさまざまな解析、配合設計に有用である。
しかし、試料を固定した従来のメッシュを延伸させることはほとんど不可能であるため、延伸状態のゴム切片を観察することができないという問題がある。また、たとえメッシュを無理やり延伸させたとしても延伸量はわずかであると共に、メッシュは延伸によって変形して歪が残ってしまうため、メッシュ上で延伸されたゴム切片を元の状態に戻すことができず、収縮過程（戻り過程）のゴム切片を観察することができないという問題がある。
【０００５】
【特許文献１】特開平１１−３２９３２５号公報
【発明の開示】
【発明が解決しようとする課題】
【０００６】
本発明は前記問題に鑑みてなされたものであり、延伸過程のゴム切片、さらには延伸過程から収縮過程のゴム切片の顕微鏡観察を可能にするメッシュおよび該メッシュを用いたゴム切片の観察方法を提供することを課題としている。
【課題を解決するための手段】
【０００７】
前記課題を解決するため、第一の発明として、延伸過程のゴム切片を顕微鏡により観察可能に支持するメッシュであって、
中央部上面が前記ゴム切片を固定する載置領域とされると共に、該載置領域を挟む左右両側が前記延伸方向に移動される試料ホルダ分離部への固定部とされ、該左右の固定部の間の外縁より前記延伸方向と直交方向あるいは傾斜方向の拡開用スリットが所要長さで切り込まれており、
前記試料ホルダ分離部により前記固定部が離反方向へ移動された時に、前記拡開用スリットを外縁に向けて開いて前記延伸方向に伸長させ、前記固定部に左右両側が固定される前記ゴム切片を延伸させる構成としていることを特徴とするメッシュを提供している。
【０００８】
前記構成によれば、メッシュには、前記試料ホルダ分離部への左右固定部の間の外縁より延伸方向と直交方向あるいは傾斜方向の拡開用スリットが所要長さで切り込まれているので、メッシュの左右両側が固定された試料ホルダ分離部を互いに離反させて延伸方向に移動させていくと、メッシュは前記拡開用スリットを開きながら延伸方向に均等に伸長され、メッシュに固定されたゴム切片もメッシュの伸長に伴って延伸されていくこととなる。よって、メッシュの左右両側が固定された試料ホルダ分離部を延伸方向に移動させるだけで、ゴム切片を任意の延伸率に延伸することができ、任意の延伸率におけるゴム切片の状態をダイレクトに観察することができる。これによって、延伸過程のゴム切片の状態変化（モルフォロジー変化）の観察が可能となる。
【０００９】
前記拡開用スリットは、メッシュを延伸方向に伸長させメッシュ上のゴム切片を延伸させていくことができれば、該スリットの寸法、位置、個数、切り込む方向など特に限定されるものでなく、メッシュの開口形状や、メッシュ上に固定されるゴム切片の形状、ゴム切片の固定位置などに応じて適宜設定することができる。
しかしながら、前記拡開用スリットはメッシュの中心を支点として左右方向に均等に延伸されるように、前記支点に対して左右対称位置に設けていることが好ましい。また、拡開用スリットによってメッシュを延伸方向に伸長させるためには、拡開用スリットをメッシュの上下の外縁より交互に複数個切り込んでおくことが好ましい。
【００１０】
また、第二の発明として、延伸過程および収縮過程のゴム切片を顕微鏡により観察可能に支持するメッシュであって、
中央部上面が前記ゴム切片を固定する開口を有する載置領域とされると共に、該載置領域を挟む左右両側が前記延伸方向に移動される試料ホルダ分離部への固定部とされ、該左右の固定部の間の外縁より前記ゴム切片の載置領域に向けて前記延伸方向と直交方向あるいは傾斜方向の分断用スリットが入れられ、
前記試料ホルダ分離部により前記固定部が離反方向に移動された時、前記分断用スリットで分断される前記固定部に左右両側が固定される前記ゴム切片を延伸させると共に、該延伸位置から前記試料ホルダ分離部により前記固定部が近接方向に移動された時、前記ゴム切片を収縮させる構成としていることを特徴とするメッシュを提供している。
【００１１】
前記構成によれば、メッシュには、前記試料ホルダ分離部への左右固定部の間で且つゴム切片の載置位置に向けて、延伸方向と直交方向あるいは傾斜方向の分断用スリットが入れられているので、試料ホルダに設けられメッシュの左右両側が固定された試料ホルダ分離部を延伸方向に移動させると、メッシュがゴム切片の載置位置にて延伸方向に左右２つに分断されて互いに離反し、この左右両メッシュに固定されるゴム切片はメッシュの分断、離間によって延伸方向に均等に延伸されることとなる。よって、メッシュの左右両側が固定された試料ホルダ分離部を延伸方向に移動させるだけで、メッシュ自体を変形させることなくゴム切片を任意の延伸率に延伸させていくことができ、任意の延伸率におけるゴム切片の状態をダイレクトに観察することができる。これにより、延伸過程のゴム切片の状態変化（モルフォロジー変化）の観察が可能となる。
【００１２】
さらに、前記延伸過程から、試料ホルダ分離部を左右の固定部を近接させる収縮方向へと移動させると、左右に分断されていたメッシュは互いに近接し、最終的にはメッシュ自体が歪みを残すことなく分断前の一体的なメッシュに戻すことができる。したがって、ゴム切片も延伸前の状態に戻すことができ、前記延伸過程のみならず、収縮過程（戻り過程）におけるゴム切片の状態も観察することが可能となる。
【００１３】
前記のように、分断用スリットは延伸方向に対して直交方向あるいは傾斜方向に設けられていれば、メッシュの分断によりゴム切片を延伸方向に延伸させることは可能であるが、延伸方向に対して直交方向に分断用スリットを入れることが最も簡単であり、かつゴム切片を延伸方向に均等に延伸させやすいため特に好ましい。
また、分断用スリットが延伸方向に対して傾斜方向に設けられている場合は、延伸方向に対して１０度以上傾斜していることが好ましい。
【００１４】
前記ゴム切片の載置領域に網目状あるいは細溝状の開口が設けられ、これら開口を囲む周縁部に前記外縁より前記拡開用スリットあるいは分断用スリットが切り込まれている。
【００１５】
前記のように、メッシュはゴム切片の載置位置に網目状開口が設けられているものでも、細溝状開口が設けられているものでもよい。
前記網目状開口が設けられているメッシュの場合には、該外周枠を構成する周縁部のみならず、網目穴を囲む網糸部分の周縁部にも前記拡開用スリットや分断用スリットが切り込まれていなければ、前記拡開用スリットを開いてメッシュを延伸方向に伸長させたり、メッシュを左右に分断させたりすることは困難な場合が多い。
一方、細溝状開口が設けられているメッシュの場合には、細溝状の開口を挟む上下に夫々拡開用スリットを１箇所ずつ設けるだけで、メッシュを延伸方向に大きく伸長させることも可能である。
【００１６】
前記分断用スリットは、前記開口を介して前記載置領域を横断させて設けられている  例えば、該細溝状開口を囲む周縁部の上下に分断用スリットを１箇所ずつ設けるだけでメ
ッシュを左右に分断することができる。
なお、分断用スリットを設ける場合には、分断された左右のメッシュに間には延伸方向への離反移動時に開口が生じるため、前記載置領域には網目状や細溝状の開口を必ずしも設ける必要はない。
【００１７】
前記第一の発明および第二の発明のメッシュは、透過型電子顕微鏡（ＴＥＭ）や走査型電子顕微鏡（ＳＥＭ）に特に好ましく用いることができるが、その他、走査型プローブ顕微鏡（ＳＰＭ）、レーザ顕微鏡、光学顕微鏡等にも用いることが可能である。
【００１８】
また、第三の発明として、第一の発明のメッシュの左右両側が固定された前記試料ホルダ分離部を延伸方向に移動させて前記メッシュの載置領域に固定された前記ゴム切片を延伸させ、延伸過程における前記ゴム切片を顕微鏡により観察することを特徴とするゴム切片の観察方法を提供している。
【００１９】
前記第三の発明では、第一の発明の拡開用スリットが切り込まれたメッシュを用い、前記拡開用スリットを開いてメッシュを延伸方向に伸長させることによりゴム切片を延伸させているため、メッシュの伸長に伴いメッシュ自体に若干の歪みが残る。したがって、収縮過程（戻り過程）のゴム切片の観察ではなく、延伸過程のゴム切片の観察に適している。
【００２０】
さらに、第四の発明として、第二の発明のメッシュの左右両側が固定された前記試料ホルダ分離部を延伸方向に移動させることにより前記メッシュの載置領域に固定された前記ゴム切片を延伸させ、延伸過程における前記ゴム切片を顕微鏡により観察し、引き続き、前記試料ホルダ分離部を収縮方向に移動させることにより前記メッシュの載置領域に固定された前記ゴム切片を収縮させ、収縮過程におけるゴム切片を顕微鏡により観察することを特徴とするゴム切片の観察方法を提供している。
【００２１】
前記第四の発明では、第二の発明の分断用スリットが入れられたメッシュを用い、メッシュを延伸方向に２つに分断、離間させることによりゴム切片を延伸するため、メッシュ自体が変形して歪みが残ることがない。したがって、延伸過程のゴム切片の観察だけでなく、収縮過程（戻り過程）のゴム切片の観察も行うことができ、ゴムの破断発生解析、損傷、劣化解析、磨耗解析、ポリマーやフィラーの補強メカニズムの解析、ヒステリシスロス発生のメカニズムの解析などのさまざまな解析や、これらの解析に基づく配合設計などに有効である。
【００２２】
なお、前記第三および第四の発明のゴム切片の観察方法で用いられるメッシュの前記拡開用スリットや分断用スリットは、ゴム切片をメッシュの中央部上面に固定してからメッシュにカミソリやメス、カッター等で切り込まれることが好ましい。これにより、メッシュが延伸前にばらばらにならず取り扱いが容易となり、ゴム切片もメッシュに安定した状態で固定することができる。
【発明の効果】
【００２３】
前述したように、第一の発明によれば、メッシュには、前記試料ホルダ分離部への左右固定部の間の外縁より延伸方向と直交方向あるいは傾斜方向の拡開用スリットが所要長さで切り込まれているので、メッシュの左右両側が固定された試料ホルダ分離部を延伸方向に移動させていくと、メッシュは前記拡開用スリットを開きながら延伸方向に伸長され、メッシュに固定されたゴム切片もメッシュの伸長に伴って延伸されることとなる。よって、メッシュの左右両側が固定された試料ホルダ分離部を延伸方向に移動させるだけで、ゴム切片を任意の延伸率に延伸することができ、第三の発明のように、延伸過程のゴム切片をダイレクトに観察することができる。
【００２４】
さらに、第二の発明によれば、メッシュには、前記試料ホルダ分離部への左右固定部の間で且つゴム切片の載置位置に向けて、延伸方向と直交方向あるいは傾斜方向の分断用スリットが入れられているので、メッシュの左右両側が固定された試料ホルダ分離部を延伸方向に移動させると、メッシュがゴム切片の載置位置にて延伸方向に左右２つに分断され、この左右両メッシュに固定されていたゴム切片はメッシュの分断、離間によって延伸方向に均等に延伸されることとなる。よって、メッシュの左右両側が固定された試料ホルダ分離部を延伸方向に移動させるだけで、メッシュ自体を変形させることなくゴム切片を任意の延伸率に延伸させていくことができ、延伸過程のゴム切片をダイレクトに観察することができる。
【００２５】
さらに、前記延伸過程から、試料ホルダ分離部を収縮方向へと移動させると、左右に分断されていたメッシュは互いに近接し、最終的にはメッシュ自体が歪みを残すことなく分断前の一体的なメッシュに戻すことができる。したがって、ゴム切片も延伸前の状態に戻すことができ、第四の発明のように、延伸過程のみならず、収縮過程（戻り過程）におけるゴム切片の状態も観察することが可能となる。
【発明を実施するための最良の形態】
【００２６】
以下、本発明の実施形態を図面を参照して説明する。
図１乃至図５に、本発明の第１実施形態を示す。
第１実施形態のメッシュ１１は、ゴム切片１０の載置領域１１ｂに細溝状開口１１ａを備え、該細溝状開口１１ａに連通する分断用スリット１２ａ、１２ｂを備えた形状としている。
即ち、図１に示す中央に３本の細溝状開口１１ａを備えたメッシュ１１に、図２に示す試料となるゴム切片１０を前記メッシュ１１の中央上面の載置領域１１ｂに固定した後に、図３および図４に示すように、メッシュ１１に順次分断用スリット１２ａ、１２ｂを切断刃（本実施形態ではカミソリ刃）を用いて形成している。
【００２７】
以下に詳述すると、まず、表１に示す配合のゴム組成物から、ミクロトーム（図示せず、商品名：ウルトラミクロトームＥＭ  ＶＣ６、ＬＥＩＣＡ社製）を用いて薄片化したゴム切片１０（縦１ｍｍ×横２ｍｍ×厚２００ｎｍ）を作製する。
前記ゴム切片１０を、図１に示す３本の細溝状開口１１ａ（１１ａ−１、１１ａ−２、１１ａ−３）を備えたメッシュ１１（直径３ｍｍ）の中央部上面の載置領域１１ｂに前記３本の細溝状開口１１ａを跨ぐように、専用のループ（図示せず）を用いてゴム切片１０を載せて固定する（図２）。    
【００２８】
【表１】
2008096161.tif 000003
【００２９】
図４に示すように、メッシュ１１を試料ホルダ１３に載せ、メッシュ１１の左右両側（固定部１１ｄ、１１ｅ）を試料ホルダ分離部１３ａ、１３ｂの押さえ板１３ａ−１、１３ｂ−１に挟んでネジ１３ａ−２、１３ｂ−２で固定する。
【００３０】
続いて、メッシュ１１の細溝状開口１１ａを囲む外周枠１１ｃの図中上下中央に、切断刃（図示せず）を用いて、図３に示すような分断用スリット１２ａ、１２ｂを、ゴム切片１０の延伸方向（左右方向）に対して直交方向に切り込むことにより、本実施形態のメッシュが得られる。
即ち、この分断用スリット１２ａ、１２ｂは、３つの細溝状開口１１ａのうち、中央の開口１１ａ−２に連続するように切り込んでいる。
【００３１】
前記のように、メッシュ１１の中央の開口１１ａ−２の上下周縁部に分断用スリット１２ｂ、１２ａを設け、この連続させた分断用スリット１２ａ、開口１１ａ−２、分断スリット１２ｂをゴム切片１０の載置部を横断させ、分断ラインＳＬを形成して、メッシュ１１を左右の２つのメッシュ１１Ａ、１１Ｂに分断している。
なお、分断用スリット１２ａ、１２ｂは図中において上下位置にあるが、メッシュ１１は水平配置されるため、分断用スリット１２ａ、１２ｂは水平方向の開口１１ａ−２の前後両側に位置することになる。
【００３２】
前記のように分断ラインＳＬを境界として分断したメッシュ１１Ａ、１１Ｂを、それぞれ試料ホルダ分離部１３ａ、１３ｂで固定しているため、試料ボルダ分離部１３ａ、１３ｂを延伸方向へ移動して離反すると、分断ラインＳＬの隙間が次第に拡大していき、メッシュ１１Ａと１１Ｂに左右両側を固定したゴム切片１０が図中左右方向に延ばされて延伸されることとなる。
【００３３】
顕微鏡による観察工程は、具体的には、前記メッシュ１１が固定された試料ホルダ１３を透過型電子顕微鏡（図示せず）（Ｈ７１００、加速電圧１００ＫＶ、日立製）にセットして、延伸率０％のゴム切片１０を観察する。
次いで、メッシュ１１の左右両側１１ｄ、１１ｅが固定された試料ホルダ分離部１３ａ、１３ｂのうち１３ｂ側を延伸方向（矢印Ａ方向）に移動させることにより、ゴム切片１０を延伸させ、延伸過程における延伸率５０％、１００％、１５０％のゴム切片１０を観察する。
前記延伸過程での観察終了後に、試料ホルダ分離部１３ｂを矢印Ｂ方向に移動させることによりメッシュ１１Ａ、１１Ｂを互いに近接させて、ゴム切片１０を収縮させ、収縮過程（戻り過程）における延伸率１００％、５０％、０％のゴム切片１を観察する。
【００３４】
前記のように、本発明のメッシュ１１には、試料ホルダ分離部１３ａ、１３ｂへの左右固定部１１ｄ、１１ｅの間で且つゴム切片１０の載置位置１１ｂに向けて、延伸方向（左右方向）と直交方向の分断用スリット１２ａ、１２ｂが入れられているので、メッシュ１１の左右両側１１ｄ、１１ｅが固定された試料ホルダ分離部１３ａ、１３ｂのうち１３ｂ側を延伸方向（矢印Ａ方向）に移動させると、メッシュ１１がゴム切片１０の載置位置１１ｂにて左右２つのメッシュ２Ａ、２Ｂに分断され、この左右両メッシュ２Ａ、２Ｂに固定されていたゴム切片１０はメッシュ１１の分断、離間によって延伸方向に均等に延伸されることとなる。よって、メッシュ１１の左右両側１１ｄ、１１ｅが固定された試料ホルダ分離部１３ａ、１３ｂのうち１３ｂ側を延伸方向に移動させるだけで、メッシュ１１自体を変形させることなくゴム切片１０を任意の延伸率に延伸させていくことができ、延伸過程のゴム切片１０をダイレクトに観察することができる。
【００３５】
また、前記延伸過程から、試料ホルダ分離部１３ｂを収縮方向（矢印Ｂ方向）へと移動させると、左右に分断されていたメッシュ１１Ａ、１１Ｂは互いに近接し、最終的にはメッシュ１１自体が歪みを残すことなく分断前の一体的なメッシュ１１に戻すことができる。したがって、ゴム切片１０も延伸前の状態に戻すことができ、延伸過程のみならず、収縮過程（戻り過程）におけるゴム切片１０の状態も観察することが可能となる。
【００３６】
前記延伸過程のゴム切片１０および前記収縮過程（戻り過程）のゴム切片１０を観察した結果は、下記の通りであった。
即ち、延伸率０％ではフィラーが凝集して存在していることが観察され、延伸していくと最初はフィラー粒子の凝集単位で変形が始まり、延伸率１００％を超えると粒子単位の変形が観察された。また、応力集中が大きなフィラーやポリマーの界面では剥離も観察された。さらに、個々のフィラーは均質に伸びるのではなく、各歪に応じて段階的な変化が起きていることも明らかになった。
一方、収縮過程で延伸率を０％まで戻すと、元の凝集構造に戻る過程が観察された。
【００３７】
図６（Ａ）〜（Ｃ）に第１実施形態の変形例を示す。
図６（Ａ）ではメッシュ１１にゴム切片の載置位置に開口を設けず、延伸方向と直交方向の１本の分断用スリット１２−１のみを設けている。
図６（Ｂ）では延伸方向と直交線に対して角度αが１０度で傾斜させた１本の分断用スリット１２−２のみを設けている。
このように、分断用スリットを設けると、開口を設けなくなくとも、分断されたメッシュの間に開口が生じるため、必ずしも開口を設ける必要はない。
図６（Ｃ）はメッシュ１１は外周枠１１ｃで繊維からなる網線１００を保持し、網目状開口１００ａを設けている。このメッシュ１１では、外周枠１１ｃから網目線１００に分断用スリット１２−３を設けている。
【００３８】
図７に第２実施形態を示す。
第２実施形態のメッシュ１４は、１本の細溝状開口１４ａを備え、該細溝状開口１４ａは外周枠１４ｃの下側縁を切り欠いて開口した形状であり、外周枠１４ｃの上側縁に１個の分断用スリット１５を形成し、細溝状開口１４ａと分断用スリット１５とで分断ラインＳＬを形成している。
ゴム切片１０をメッシュ１４に固定し、メッシュ１４の左右両側１４ｄ、１４ｅを試料ホルダ分離部１３ａ、１３ｂに固定した後、前記延伸方向（左右方向）に直交方向の分断用スリット１５を形成している。
【００３９】
第２実施形態においても、試料ホルダ分離部１３ｂの延伸方向への移動により、メッシュ１４が左右に分断され、メッシュ１４を変形させることなく、ゴム切片１０を延伸方向に均等に延伸することができる。したがって、第１実施形態と同様、延伸過程のゴム切片１０および伸縮過程（戻り過程）のゴム切片１０の状態を観察することができる。
【００４０】
図８に第３実施形態を示す。
第３実施形態のメッシュ１６は、細溝状開口１６ａを囲む外周枠１６ｃの上下に、細溝状開口１６ａと連通しない位置まで、延伸方向（左右方向）に直交方向の拡開用スリット１７ａ、１７ｂ、１７ｃを上下交互に設けている。
前記拡開用スリット１７ａ、１７ｂ、１７ｃも、メッシュ１６にゴム切片１０を固定し、メッシュ１６の左右両側１６ｄ、１６ｅを試料ホルダ分離部１３ａ、１３ｂに固定した後、形成している。その他は第１実施形態と同様としている。
【００４１】
前記構成によれば、メッシュ１６には、試料ホルダ分離部１３ａ、１３ｂへの左右固定部１６ｄ、１６ｅの間の外周枠１６ｃに延伸方向（左右方向）と直交方向の拡開用スリット１７ａ、１７ｂ、１７ｃが上下交互に切り込まれているので、メッシュ１６の左右両側１６ｄ、１６ｅが固定された試料ホルダ分離部１３ａ、１３ｂのうち１３ｂ側を延伸方向（矢印Ａ方向）に移動させていくと、メッシュ１６は拡開用スリット１７ａ、１７ｂ、１７ｃを開きながら延伸方向に伸長され、メッシュ１６に固定されたゴム切片１０もメッシュ１６の伸長に伴って延伸されることとなる。
よって、メッシュ１６の左右両側１６ｄ、１６ｅが固定された試料ホルダ分離部１３ａ、１３ｂのうち１３ｂ側を延伸方向に移動させるだけで、ゴム切片１０を任意の延伸率に延伸することができ、延伸過程のゴム切片１０をダイレクトに観察することができる。
【００４２】
なお、前記拡開用スリットを設けた場合、試料ホルダ分離部１３ａ、１３ｂを延伸方向に離反した後に、近接方向に移動させた場合、メッシュ１６とゴム切片１０との収縮率が同一でなければ、ゴム切片１０に歪みが発生するため収縮過程での観察には用いることができない。
しかしながら、メッシュ１６とゴム切片１０との収縮率が略同一であれば、収縮過程の観察にも用いることができる。
【００４３】
図９（Ａ）（Ｂ）に第３実施形態の変形例を示す。
図９（Ａ）のメッシュ１６では、中央に左右方向に並列して多数の細溝状開口１６ａを設け、これら細溝状開口１６ａの上下方向に交互に拡開用スリット１７を設けている。
図９（Ｂ）のメッシュ１６では開口を設けず、上方から拡開用スリット１７ｅを切り込み、下方から拡開用スリット１７ｆを切り込み、夫々先端に球状に切り込んでいる。このように先端を球状とすると、メッシュ１６の延伸作動時にメッシュ１６がねじれるのを防止できる。
【００４４】
なお、前記実施形態においては、いずれもメッシュにゴム切片を固定した後にスリットを入れているが、前記拡開用スリットの形成位置が、メッシュ１６にゴム切片１０を載置する領域と干渉しない位置とすれば、メッシュ１６にゴム切片１０を載置して固定する前に予め形成しておいてもよい。
【産業上の利用可能性】
【００４５】
本発明のメッシュは、ゴム切片の延伸過程および収縮過程での状態を顕微鏡で観察する時にゴム切片を保持するメッシュとして好適に用いられるが、試料はゴム切片以外にも、延伸する試料、例えば、樹脂製フィルム等の延伸過程および収縮工程の観察にも用いることができる。
また、本発明のメッシュは、走査型電子顕微鏡、透過型電子顕微鏡、走査型プローブ顕微鏡、レーザ顕微鏡、光学顕微鏡等での観察時に試料保持材として好適に用いられる。
【図面の簡単な説明】
【００４６】
【図１】第１実施形態における市販のメッシュを示す概略平面図である。
【図２】図１のメッシュにゴム切片を固定した状態を示す概略平面図である。
【図３】メッシュに分断用スリットが切り込まれた状態を示す概略平面図である。
【図４】メッシュを試料ホルダに固定した状態を示す概略平面図である。
【図５】試料ホルダ分離部を移動させてゴム切片を延伸させた状態を示す概略平面図である。
【図６】（Ａ）〜（Ｃ）は第１実施形態の変形例のメッシュを示す平面図である。
【図７】第２実施形態におけるメッシュを示す概略平面図である。
【図８】第３実施形態におけるメッシュを示す概略平面図である。
【図９】（Ａ）〜（Ｃ）は第３実施形態の変形例のメッシュを示す平面図である。
【図１０】従来例を示す図である。
【図１１】従来例を示す図である。
【符号の説明】
【００４７】
１０  ゴム切片
１１、１４、１６  メッシュ
１１ａ、１４ａ、１６ａ  細溝状開口
１１ｂ  載置領域
１１ｃ、１４ｃ、１６ｃ  外周枠
１１ｄ、１１ｅ、１４ｄ、１４ｅ、１６ｄ、１６ｅ  左右両側（固定部）
１１Ａ、１１Ｂ  分断された左右のメッシュ
１２ａ、１２ｂ、１５  分断用スリット
１３  試料ホルダ
１３ａ、１３ｂ  試料ホルダ分離部
１３ａ−１、１３ｂ−１  押さえ板
１３ａ−２、１３ｂ−２  ネジ
１７ａ、１７ｂ、１７ｃ、１７ｅ、１７ｆ  拡開用スリット
【図１】
2008096161.tif 000004
【図２】
2008096161.tif 000005
【図３】
2008096161.tif 000006
【図４】
2008096161.tif 000007
【図５】
2008096161.tif 000008
【図６】
2008096161.tif 000009
【図７】
2008096161.tif 000010
【図８】
2008096161.tif 000011
【図９】
2008096161.tif 000012
【図１０】
2008096161.tif 000013
【図１１】
2008096161.tif 000014